(57)【要約】【課題】ＶＲ酔いし難いＶＲ装置を提供することを課題とする。【解決手段】本発明は、画像表示部と顔を当接可能な当接部とが並ぶ方向を光軸方向として前記画像表示部と前記当接部の間に配置されるレンズ部を備え、前記レンズ部は、前記光軸方向において対称に配置される一対の凸レンズを有することを特徴とする。【選択図】図５
2019132989.tif 000002
【特許請求の範囲】
【請求項１】
画像表示部と顔を当接可能な当接部とが並ぶ方向を光軸方向として前記画像表示部と前記当接部との間に配置されるレンズ部を備え、
前記レンズ部は、前記光軸方向において対称に配置される一対の凸レンズを有する、ＶＲ装置。
【請求項２】
前記一対の凸レンズは、凸メニスカスレンズ又は平凸レンズであり、
これら一対の凸レンズは、互いの凸面が対向するように配置される、請求項１に記載のＶＲ装置。
【請求項３】
前記一対の凸レンズのうちの当接部側の凸レンズの光軸方向と直交する方向の寸法は、前記一対の凸レンズのうちの画像表示部側の凸レンズの光軸方向と直交する方向の寸法より小さい、請求項１又は２に記載のＶＲ装置。
【発明の詳細な説明】
【技術分野】
【０００１】
本発明は、画像表示部に表示された画像を立体視して仮想現実（virtual reality）を体験できるＶＲ装置に関する。
【背景技術】
【０００２】
従来から、例えばスマートフォンを画像表示部として用い、該画像表示部に表示された画像を両目で立体視することで、いわゆる仮想現実（以下、単に「ＶＲ」と称する。）を体験できるＶＲ装置が知られている（特許文献１参照）。
【０００３】
具体的に、ＶＲ装置は、図９に示すように、スマートフォン５０３を取り外し可能に保持する装着ケース５０１と、該ＶＲ装置５００が頭部に装着されたときの目と装着ケース５０１との間に位置する拡大レンズ（凸レンズ）５０２と、を備える。
【０００４】
このＶＲ装置５００は、スマートフォン５０３を装着ケース５０１に保持させた状態で頭部に装着され、拡大レンズ５０２を通してスマートフォン（画像表示部）５０３に表示された画像（ＶＲ用の画像）を両目で立体視させる。この画像は、スマートフォン５０３が備えるジャイロ機構や加速度センサ等の各種センサによって検知される頭部（ＶＲ装置の装着された頭部）の動きに対応して変化する。このため、ＶＲ装置５００を装着した状態で頭部を動かすことで、画像内の世界を３６０°（全方向において）見渡すことができ、これにより、ＶＲを体験することができる。
【先行技術文献】
【特許文献】
【０００５】
【特許文献１】特開２０１６−２２４９０８号公報
【発明の概要】
【発明が解決しようとする課題】
【０００６】
しかし、上述のＶＲ装置５００によってＶＲを体験していると、めまいや頭痛、吐き気等といった車酔いや船酔いと同様の症状が生じる、即ち、ＶＲ酔いする場合がある。
【０００７】
そこで、本発明は、ＶＲ酔いし難いＶＲ装置を提供することを課題とする。
【課題を解決するための手段】
【０００８】
本発明の発明者らは、上記課題を解消すべく鋭意研究を行った結果、凸レンズを通して見た画像の周縁部の色収差がＶＲ酔いの原因の一つであるとの知見を得た。詳しくは、以下の通りである。
【０００９】
頭部に装着するタイプのＶＲ装置では、ヘッドトラッキング機能によって検知された頭部の動きにリンクして画像が変化する、即ち、画像内の世界において顔を向けた方向の景色（画像）が画像表示部に表示されるため、ＶＲ装置の装着者の視線は、画像の中心部を向いていると考えられていた。このため、従来のＶＲ装置では、画像表示部に表示される画像の中心部（凸レンズを通して見た画像の中心部）のピントや色収差等に注目して凸レンズの形状等が設定されていた。
【００１０】
しかし、前記発明者らは、視線についてより詳細に観察した結果、他の方向を見るために頭部を動かしているときには、視線が画像における頭部を動かす方向の先頭側（例えば、左方を見るために頭部を左に向ける場合には画像の左端部側）に移動し、画像の端部又はその近傍に向いていることに気付いた。即ち、一般に凸レンズを通して見た画像では周縁部ほど色収差（色ずれや、該色ずれに起因する画像のぼけ）が顕著になるが、従来のＶＲ装置を装着した状態で頭部を動かすと、この色収差が顕著な部位（画像がぼけた部位）に視野を向けた状態で頭部を動かすこととなっていた。
【００１１】
そして、前記発明者らは、種々の観察を続けた結果、この画像における色収差が顕著な部位に視線を向けた状態で頭部を動かすことがＶＲ酔いの原因の一つであることを見出した。
【００１２】
そこで、この知見に基づき、前記発明者らは、ＶＲ酔いの原因の一つである画像の周縁部での色収差に着目し、以下の構成のＶＲ装置を創作した。
【００１３】
本発明のＶＲ装置は、画像表示部と顔を当接可能な当接部とが並ぶ方向を光軸方向として前記画像表示部と前記当接部との間に配置されるレンズ部を備え、前記レンズ部は、前記光軸方向において対称に配置される一対の凸レンズを有する。
【００１４】
かかる構成によれば、一対の凸レンズが光軸方向において対称に配置されることで色収差が補正される、即ち、画像表示部側の凸レンズを光（画像）が通過することで生じた色収差の少なくとも一部が、該レンズ（画像表示部側の凸レンズ）と光軸方向において対称に配置された当接部側の凸レンズを通過することによって打ち消されるため、一対の凸レンズを通して見える画像の色収差が抑えられる。このため、レンズ部を通して見える画像の周縁部の色収差も抑えられ、これにより、画面の周縁部に視線を向けた状態で頭部を動かしても、ＶＲ酔いし難くなる。
【００１５】
前記ＶＲ装置では、前記一対の凸レンズが、凸メニスカスレンズ又は平凸レンズであり、これら一対の凸レンズが、互いの凸面が対向するように配置されることが好ましい。
【００１６】
かかる構成によれば、凸メニスカスレンズが凹面同士を対向させて配置される場合又は平凸レンズが平面同士を対向させて配置される場合に比べ、凸レンズ同士の間隔を小さくすることができ、これにより、一対の凸レンズの光軸方向の配置スペース、即ち、レンズ部の光軸方向の寸法が抑えられる。このため、画像表示部の配置位置を顔に近づけることができ、これにより、ＶＲ装置を頭部に装着したときに装着者が感じる重さ（画像表示部の顔からの距離に起因するモーメント）が抑えられる。
【００１７】
また、前記ＶＲ装置では、前記一対の凸レンズのうちの当接部側の凸レンズの光軸方向と直交する方向の寸法が、前記一対の凸レンズのうちの画像表示部側の凸レンズの光軸方向と直交する方向の寸法より小さくてもよい。
【００１８】
このように、一対の凸レンズのうちの一方を小さくすることで、ＶＲ装置の小型化や軽量化を図ることができる。
【発明の効果】
【００１９】
以上より、本発明によれば、ＶＲ酔いし難いＶＲ装置を提供することができる。
【図面の簡単な説明】
【００２０】
【図１】図１は、本実施形態に係るＶＲ装置の斜視図である。
【図２】図２は、カバー部を開いた状態の前記ＶＲ装置、及びホルダー部に保持される携帯情報端末の斜視図である。
【図３】図３は、前記ＶＲ装置の斜視図である。
【図４】図４は、前記ＶＲ装置の分解斜視図である。
【図５】図５は、図１のＶ−Ｖ位置における断面図である。
【図６】図６は、前記ＶＲ装置が備える枠部の分解斜視図である。
【図７】図７は、一対の凸レンズのスポットダイアグラムである。
【図８】図８は、一対の凸レンズを通過した光の波長毎の強度と光源までの距離との関係を示す図である。
【図９】図９は、従来のＶＲ装置の斜視図である。
【発明を実施するための形態】
【００２１】
以下、本発明の一実施形態について、図１〜図８を参照しつつ説明する。
【００２２】
本実施形態に係るＶＲ装置は、いわゆるＶＲゴーグルやＶＲグラスと称されるものであり、頭部に装着されて画像表示部に表示される画像を立体視させることで装着者にＶＲ（virtual reality：仮想現実）を体験させる。このＶＲ装置では、画像表示部としてスマートフォン等の携帯情報端末が用いられる。
【００２３】
このＶＲ装置は、図１〜図４に示すように、携帯情報端末（画像表示部）Ｓ（図２参照）を保持するホルダー部２と、レンズ部３１を有する本体３と、ＶＲ装置１を頭部に装着したときに装着者の顔に当接する当接部４と、を備える。これらホルダー部２と本体３と当接部４とは、レンズ部３１の光軸方向に並んでいる。尚、以下では、光軸方向をＸ軸方向とし、頭部にＶＲ装置１を装着したときに装着者の両目が並ぶ方向をＹ軸方向とし、Ｘ軸方向とＹ軸方向とに直交する方向をＺ軸方向とする。
【００２４】
ホルダー部２は、携帯情報端末Ｓを保持したときに、携帯情報端末Ｓが当接するホルダー本体２１と、Ｘ軸方向におけるホルダー本体２１と反対側から携帯情報端末Ｓを覆うカバー部２２と、携帯情報端末Ｓをホルダー本体２１に向けて押圧する押圧部２３と、を有する。本実施形態のホルダー部２は、取り外し可能に携帯情報端末Ｓを保持する。
【００２５】
ホルダー本体２１は、Ｙ−Ｚ面（Ｙ軸とＺ軸とを含む面）方向に広がり且つ携帯情報端末Ｓが当接可能な当接面２１１と、ＶＲ装置１が頭部に装着されたときの両目に対応する位置においてＸ軸方向に貫通する二つの穴部２１２と、を有する。また、ホルダー本体２１は、当接面２１１からＸ軸方向の前方側（カバー部２２側）に突出して携帯情報端末Ｓが配置されるときに該携帯情報端末Ｓの位置決めに用いられる位置決め部２１３と、Ｙ軸方向の両端からＸ軸方向の後方側（本体３側）に延びる一対のラックギア部２１４と、を有する。本実施形態のホルダー本体２１は、Ｘ軸方向から見て、Ｙ軸方向に長尺な略矩形状である。
【００２６】
当接面２１１は、ホルダー部２が携帯情報端末Ｓを保持したときに該携帯情報端末Ｓの画面側の面が当接する面である。
【００２７】
位置決め部２１３は、携帯情報端末Ｓの周縁部が位置決め部２１３と当接した状態で画面側の面を当接面２１１に押し当てられることで、携帯情報端末Ｓの画面におけるＶＲ用の画像が表示される領域が二つの穴部２１２とＸ軸方向に重なる位置となるように携帯情報端末Ｓの位置決めを行う。本実施形態の位置決め部２１３は、二つ設けられている。具体的に、二つの位置決め部２１３のそれぞれは、穴部２１２のＺ軸方向の下方側（後述するカバー部２２との係合部側：図４における下方側）の位置においてＹ軸方向の外側（他方の穴部２１２と反対側）に向けて延び、該穴部２１２よりＹ軸方向の外側の位置からＺ軸方向の上方側（図４における上方側）に延びている。
【００２８】
カバー部２２は、Ｙ−Ｚ面方向に広がり、Ｚ軸方向の下方側の端部において、Ｙ軸方向に延びる軸Ｃ１を回転中心としてホルダー本体２１に対して回動可能に接続されている。本実施形態のカバー部２２は、Ｘ軸方向から見て、ホルダー本体２１と対応する形状（Ｙ軸方向に長尺な矩形状）である。
【００２９】
押圧部２３は、ホルダー本体２１とカバー部２２と間に配置され、カバー部２２がホルダー本体２１に対して閉じた状態のときに、携帯情報端末Ｓを当接面２１１に向けて押圧する。これにより、ＶＲ装置１を装着した頭部を動かしても、携帯情報端末Ｓが当接面２１１に対して動く（詳しくは、Ｙ−Ｚ面方向にずれる）ことが防がれる。
【００３０】
この押圧部２３は、カバー部２２の回動に伴って動く。具体的に、押圧部２３は、カバー部２２がホルダー本体２１に対して閉じた状態（図１参照）から開いた状態（軸Ｃ１を回転中心にしてカバー部２２を回動させることでＺ軸方向の上方側の端部がホルダー本体２１から離間した状態：図２参照）にすることで、当接面２１１と押圧部２３との間に携帯情報端末ＳがＺ軸方向の上方から下方側に向けて差し込まれたときに（図２の矢印α参照）、押圧部２３が携帯情報端末Ｓと接触しない位置まで当接面２１１から離間している。本実施形態の押圧部２３は、カバー部２２の当接面２１１側の面におけるＺ軸方向の下方側の端部から斜め上方に（上方側で且つ当接面２１１側に向けて）延びている金属製の部材である。
【００３１】
以上のホルダー部２では、携帯情報端末Ｓが画面をＸ軸方向の後方側に向けた姿勢でカバー部２２が開いた状態のホルダー部２に差し込まれた後（図２の矢印α参照）、該カバー部２２が閉じられることで、ホルダー部２において携帯情報端末Ｓが固定される、即ち、ホルダー部２が携帯情報端末Ｓを保持した状態となる。
【００３２】
本体３は、ホルダー部２（ホルダー部２に保持された状態の携帯情報端末Ｓの画面）と当接部４とが並ぶ方向とその光軸方向とが一致するように配置されたレンズ部３１と、レンズ部３１を保持する枠部３２と、を有する。本実施形態のレンズ部３１は、右目用の第一レンズ部３１１と、左目用の第二レンズ部３１２と、を含む。
【００３３】
第一レンズ部３１１は、一対の凸レンズ（第一レンズ３１３及び第二レンズ３１４）と、一対の凸レンズ３１３、３１４を保持する第一レンズ保持部３１５と、を有する。これら一対の凸レンズ３１３、３１４は、Ｘ軸方向（光軸方向）において対称に配置されている。本実施形態のレンズ部３１では、一対の凸レンズ３１３、３１４は、それぞれ凸メニスカスレンズであり、互いの凸面３１３ｂ、３１４ｂ同士を対向させた状態で配置されている。詳しくは、以下の通りである。
【００３４】
第一レンズ３１３は、図５にも示すように、凹面３１３ａをＸ軸方向の前方側（ホルダー部２）側に向け、凸面３１３ｂをＸ軸方向の後方側（当接部４側）に向けた姿勢で配置されている。
【００３５】
第二レンズ３１４は、その光軸が第一レンズ３１３の光軸と一致するようにＸ軸方向における第一レンズ３１３の後方側に配置されている。この第二レンズ３１４は、凸面３１４ｂをＸ軸方向の前方側に向け、凹面３１４ａをＸ軸方向の後方側に向けた姿勢で配置されている。これにより、第一レンズ３１３と第二レンズ３１４は、互いの凸面３１３ｂ、３１４ｂが対向するように配置（即ち、Ｘ軸方向において対称に配置）される。この第二レンズ３１４におけるＸ軸方向と直交する方向の寸法（本実施形態の例では直径）は、第一レンズ３１３におけるＸ軸方向と直交する方向の寸法（本実施形態の例では直径）より小さい。
【００３６】
以上の凸レンズ３１３、３１４では、ホルダー部２から当接部４に向かって第一レンズ３１３を通過した光（詳しくは、ホルダー部２に保持された携帯情報端末Ｓの画面に表示される画像）に生じた色収差の少なくとも一部が、該レンズ３１３とＸ軸方向において対称に配置された第二レンズ３１４を通過することによって打ち消されることで、焦点位置から見た画像における色収差（倍率色収差）が抑えられるような曲面に、凹面３１３ａ、３１４ａ及び凸面３１３ｂ、３１４ｂのそれぞれが設定されている。
【００３７】
これら一対の凸レンズ３１３、３１４では、例えば、第一レンズ３１３がガラスレンズで且つ第二レンズ３１４が樹脂レンズ、又は、第一レンズ３１３及び第二レンズ３１４のいずれもが樹脂レンズであることが好ましい。
【００３８】
第一レンズ保持部３１５は、一対の凸レンズ３１３、３１４が両端に配置される筒部３１５１と、筒部３１５１から径方向に広がる板状の被保持部３１５２と、被保持部３１５２から延びる第一ラックギア部３１５３と、を有する。
【００３９】
筒部３１５１は、一対の凸レンズ３１３、３１４の光軸を中心軸とする筒状であり、一対の凸レンズ３１３、３１４を周方向に囲う。本実施形態の筒部３１５１は、第一レンズ３１３と第二レンズ３１４との直径が異なるため、テーパ状である。
【００４０】
被保持部３１５２は、筒部３１５１に囲まれている一対の凸レンズ３１３、３１４の光軸をＸ軸方向と一致させた状態でＹ軸方向に移動可能に枠部３２に保持されている。
【００４１】
第一ラックギア部３１５３は、被保持部３１５２のＺ軸方向の上方側の端部からＺ軸方向に延びた後、Ｙ軸方向の第二レンズ部３１２側に延びている。この第一ラックギア部３１５３は、Ｚ軸方向の下方側に歯を有する。
【００４２】
第二レンズ部３１２は、第一レンズ部３１１と同じ構成の一対の凸レンズ３１３、３１４と、一対の凸レンズ３１３、３１４を保持する第二レンズ保持部３１６と、を有する。
【００４３】
第二レンズ保持部３１６は、一対の凸レンズ３１３、３１４が両端に配置される筒部３１６１と、筒部３１６１から径方向に広がる板状の被保持部３１６２と、被保持部３１６２から延びる第二ラックギア部３１６３と、を有する。
【００４４】
筒部３１６１は、第一レンズ部３１１の筒部３１６１と同様の構成であり、被保持部３１６２も、第一レンズ部３１１の被保持部３１５２と同様の構成である。
【００４５】
第二ラックギア部３１６３は、被保持部３１６２のＹ軸方向の第一レンズ部３１１側の端部からＹ軸方向に延びている。この第二ラックギア部３１６３は、第一ラックギア部３１５３とＺ軸方向に間隔をあけた状態で平行に延び、Ｚ軸方向の上方側（第一ラックギア部３１５３側）に歯を有する。
【００４６】
枠部３２は、枠部本体３２１と、第一レンズ部３１１と第二レンズ部３１２とのＹ軸方向の間隔を調整する間隔調整ダイヤル３２２と、レンズ部３１とホルダー部２（詳しくは、ホルダー部２に保持された状態の携帯情報端末Ｓの画面）とのＸ軸方向の間隔を調整するピント調整部３２３（図６参照）と、を有する。
【００４７】
枠部本体３２１は、ＶＲ装置１が頭部に装着されたときの両目に対応する位置（即ち、ホルダー本体２１の二つの穴部２１２と対応する位置）においてＸ軸方向に貫通する二つの穴部３２１１を有する。この枠部本体３２１は、第一レンズ部３１１及び第二レンズ部３１２をＹ軸方向に移動可能に保持する。また、枠部本体３２１は、ホルダー部２（詳しくは、ホルダー本体２１）をＸ軸方向に移動可能に保持する。本実施形態の枠部本体３２１は、Ｘ軸方向から見て、ホルダー本体２１と対応する形状（Ｙ軸方向に長尺な矩形状）である。
【００４８】
また、枠部本体３２１は、ベルト接続穴３２１２を有する。このベルト接続穴３２１２は、当接部４が顔に当接した状態でＶＲ装置１を頭部に固定するためのベルトを枠部本体３２１に接続するのに用いられる。
【００４９】
間隔調整ダイヤル３２２は、一部が枠部本体３２１から外部に露出し且つＸ軸方向に延びる軸Ｃ２を回転中心にして回転可能に枠部本体３２１に取り付けられている。この間隔調整ダイヤル３２２を回転させることで、第一レンズ部３１１と第二レンズ部３１２とのＹ軸方向の間隔が変化する。この間隔調整ダイヤル３２２は、軸Ｃ２に沿って延びるピニオンギア部３２２ａを有する。このピニオンギア部３２２ａは、軸Ｃ２を囲む周面に歯を有し、第一レンズ部３１１の第一ラックギア部３１５３と第二レンズ部３１２の第二ラックギア部３１６３との間に位置する。即ち、間隔調整ダイヤル３２２は、ピニオンギア部３２２ａの歯と第一及び第二ラックギア部３１５３、３１６３の歯とがそれぞれ噛み合った状態で軸Ｃ２を回転中心にして回転可能に配置されている。これにより、間隔調整ダイヤル３２２が回転することで、第一レンズ部３１１と第二レンズ部３１２とのＹ軸方向の間隔が変わる（間隔を調整できる）。即ち、間隔調整ダイヤル３２２を回転させることで、ＶＲ装置１の装着者の目の間隔に、第一レンズ部３１１と第二レンズ部３１２との間隔をあわせることができる。
【００５０】
ピント調整部３２３は、一対のダイヤル３２３１と、一対のダイヤル３２３１の回転を同期させる回転伝達部３２３２と、を有する。
【００５１】
一対のダイヤル３２３１は、Ｙ軸方向に延びる軸Ｃ３を回転中心にして回転可能に枠部本体３２１のＹ軸方向の両端部に取り付けられている。このダイヤル３２３１は、軸Ｃ３に沿って枠部本体３２１の内側に延びるピニオンギア部３２３１ａを有する。このピニオンギア部３２３１ａは、ホルダー本体２１のラックギア部２１４と噛み合っている。このため、ダイヤル３２３１が軸Ｃ３を回転中心にして回転することによって、ホルダー本体２１（ホルダー部２に保持された携帯情報端末Ｓの画面）と枠部本体３２１のレンズ部３１とのＸ軸方向の間隔が変化し、これにより、ＶＲ装置１におけるピント調整が行われる。
【００５２】
回転伝達部３２３２は、シャフトや歯車、ベルト等の複数の部材によって構成され、一対のダイヤル３２３１のうちの一方のダイヤル３２３１の回転を他方のダイヤル３２３１に伝達する。この回転伝達部３２３２は、枠部本体３２１において、二つの穴部３２１１とＸ軸方向に重ならない位置を通って一方のダイヤル３２３１と他方のダイヤル３２３１とを接続している。
【００５３】
当接部４は、枠部本体３２１の周縁部からＸ軸方向の後方側に向けて延びる部位である。当接部４のＸ軸方向の後方側の端縁（ＶＲ装置１が頭部に装着されたときの顔側の端縁）は、顔の形状に沿うように湾曲している。
【００５４】
以上のＶＲ装置１は、ＶＲ用のアプリ（プログラム）がインストールされた携帯情報端末Ｓがホルダー部２に保持された状態で頭部に装着され、携帯情報端末Ｓの画面に表示される画像（ＶＲ用の画像）を装着者に両目で立体視させることで、該装着者にＶＲを体験させる。
【００５５】
このとき、本実施形態のＶＲ装置１によれば、ホルダー部２に保持された携帯情報端末Ｓの画面から目までの光路上に配置される各レンズ部３１１、３１２において、一対の凸レンズ３１３、３１４が光軸方向において対称に配置されているため、目に届く画像における色収差が補正される。即ち、Ｘ軸方向の前方側の第一レンズ３１３を光（画像）が通過することで生じた色収差の少なくとも一部が、該第一レンズ３１３と光軸方向において対称に配置された第二レンズ３１４を通過することによって打ち消される。このため、一対の凸レンズ３１３、３１４を通して見える画像の周縁部における色収差が抑えられる。
【００５６】
ここで、本実施形態のＶＲ装置１において、ホルダー部２に携帯情報端末Ｓが保持されたときに画面が配置される位置から発せられて一対の凸レンズ３１３、３１４を通過した光（各波長を含む光）を、前記位置（光の発せられる位置）からの距離を変えて検出した結果を図７及び図８に示す。図７に示すスポットダイアグラムからも確認できるように、いずれの検出位置においても検出された色（各波長の光）が完全に分離していないため、前記距離が変わっても各色（各波長の光）のずれ（色収差）が抑えられていることがわかる。また、図８において、可視領域の１１の波長の光の強度を検出した結果を示すが、各検出位置で強度が０になる色（波長）がないため、いずれの検出位置で画像を見ても色欠けがなく、これにより、一対の凸レンズを通過して見たときに色欠けが原因の不鮮明な画像にならないことも確認できる。
【００５７】
以上のように、本発明のＶＲ装置１によれば、各レンズ部３１１、３１２を通して見える画像（画像の周縁部を含む）の色収差（色ずれや、色ずれに起因する画像のぼけ）が抑えられるため、画面の周縁部に視線を向けた状態で頭部を動かしても、ＶＲ酔いし難くなる。
【００５８】
また、本実施形態のＶＲ装置１では、一対の凸レンズ３１３、３１４のそれぞれが凸メニスカスレンズであり、これら一対の凸レンズ３１３、３１４が互いの凸面３１３ｂ、３１４ｂを対向させて配置されている。このため、凹面３１３ａ、３１４ａ同士を対向させて配置される場合に比べ、凸レンズ３１３、３１４同士の間隔を小さくすることができる。これにより、一対の凸レンズ３１３、３１４の光軸方向の配置スペース、即ち、各レンズ部３１１、３１２の光軸方向（Ｘ軸方向）の寸法が抑えられる。その結果、ＶＲ装置１が頭部に装着されたときに携帯情報端末Ｓの配置位置（ホルダー部２）を顔に近づけることができ、ＶＲ装置１を頭部に装着したときに装着者が感じる重さ（携帯情報端末Ｓの顔からの距離に起因するモーメント）が抑えられる。
【００５９】
また、一対の凸レンズ３１３、３１４のうちの一方の凸レンズ３１４を小さくすることで、ＶＲ装置の小型化や軽量化を図ることができる。
【００６０】
尚、本発明のＶＲ装置は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００６１】
上記実施形態のＶＲ装置１は、スマートフォン等の携帯情報端末Ｓを画像表示部として用いる（即ち、ＶＲ装置１は、画像表示部を備えていない）が、この構成に限定されない。ＶＲ装置１は、画像表示部を備えていてもよい。
【００６２】
上記実施形態のＶＲ装置１では、一対の凸レンズ（第一レンズ３１３及び第二レンズ３１４）のそれぞれが凸メニスカスレンズであるが、この構成に限定されない。各凸レンズ３１３、３１４は、平凸レンズ、両凸レンズ、又はフレネルレンズ等でもよい。各凸レンズ３１３、３１４が平凸レンズの場合、凸面同士を対向させて各凸レンズ３１３、３１４を配置することで、上記実施形態のＶＲ装置１と同様に、ＶＲ装置のＸ軸方向（光軸方向）の寸法を抑えることができる。
【００６３】
上記実施形態のＶＲ装置１では、各凸レンズ３１３、３１４が、凸面３１３ｂ、３１４ｂ同士を対向させて配置されているが、この構成に限定されない。一対の凸レンズ３１３、３１４が凸メニスカスレンズ又は平凸レンズの場合、各凸レンズ３１３、３１４は、凸面３１３ｂ、３１４ｂが光軸方向の外側を向くように配置されてもよい。かかる構成によっても、一対の凸レンズ３１３、３１４が光軸方向において対称に配置されていれば、Ｘ軸方向の前方側の第一レンズ３１３を光（画像）が通過することで生じた色収差の少なくとも一部が、該第一レンズ３１３と光軸方向において対称に配置された第二レンズ３１４を通過することによって打ち消される。このため、一対の凸レンズ３１３、３１４を通して見える画像の周縁部における色収差が抑えられる。
【符号の説明】
【００６４】
１…ＶＲ装置、２…ホルダー部、２１…ホルダー本体、２１１…当接面、２１２…穴部、２１３…位置決め部、２１４…ラックギア部、２２…カバー部、２３…押圧部、３…本体、３１…レンズ部、３１１…第一レンズ部、３１２…第二レンズ部、３１３…第一レンズ、３１３ａ…凹面、３１３ｂ…凸面、３１４…第二レンズ、３１４ａ…凹面、３１４ｂ…凸面、３１５…第一レンズ保持部、３１５１…筒部、３１５２…被保持部、３１５３…第一ラックギア部、３１６…第二レンズ保持部、３１６１…筒部、３１６２…被保持部、３１６３…第二ラックギア部、３２…枠部、３２１…枠部本体、３２１１…穴部、３２１２…ベルト接続穴、３２２…間隔調整ダイヤル、３２２ａ…ピニオンギア部、３２３…ピント調整部、３２３１…ダイヤル、３２３１ａ…ピニオンギア部、３２３２…回転伝達部、４…当接部、５００…ＶＲ装置、５０１…装着ケース、５０２…拡大レンズ、５０３…スマートフォン、Ｃ１、Ｃ２、Ｃ３…軸、Ｓ…携帯情報端末、α…矢印
【図１】
2019132989.tif 000003
【図２】
2019132989.tif 000004
【図３】
2019132989.tif 000005
【図４】
2019132989.tif 000006
【図５】
2019132989.tif 000007
【図６】
2019132989.tif 000008
【図７】
2019132989.tif 000009
【図８】
2019132989.tif 000010
【図９】
2019132989.tif 000011